(57)【特許請求の範囲】
【請求項１】
互いに略同一の平面視矩形形状をしており、かつ、それらの長手方向である第１の方向のみに互いに位置ずれするように重ね合わせられた基板およびカバーと、上記基板上に形成され、第１の方向に延びる複数の第１電極と、上記各第１電極と直交する第２の方向に延びる複数の第２電極と、上記第１および第２電極の交差領域に形成され、第１電極と第２電極との間に設けられた有機物質層が上記第１電極および第２電極を用いた電圧印加にもとづくエレクトロルミネセントにより発光する複数の表示要素と、上記複数の第１電極および上記複数の第２電極に対してそれぞれ複数の第１配線および複数の第２配線を介して接続された第１駆動ＩＣおよび第２駆動ＩＣと、を備えた有機ＥＬ表示装置であって、
上記基板は、上記カバーと対向する部分である第１対向部および上記カバーに対して位置ずれしている第１位置ずれ部とからなるとともに、上記カバーは、上記基板と対向する部分である第２対向部および上記基板に対して位置ずれしている第２位置ずれ部とからなり、
上記各第１配線は、上記第１位置ずれ部に実装された第１駆動ＩＣを介して上記表示要素に駆動電圧を付与するために上記第１位置ずれ部に設けられた第１入力端子部を有しているとともに、上記各第２配線は、上記第２位置ずれ部に実装された第２駆動ＩＣを介して上記表示要素に駆動電圧を付与するために上記第２位置ずれ部に設けられた第２入力端子部を有しており、
上記各第２配線は、上記第２対向部における上記第１対向部を向く対向面に形成されかつＬ字状を呈した屈曲配線部を有しており、
上記屈曲配線部は、その一端が上記第２電極と接続され、かつその他端が上記第２入力端子部と接続されており、
上記第１対向部と上記第２対向部とは、それらの対向面どうしがシール部材を介して接合されており、かつ、
上記屈曲配線部と上記第２電極とは、異方性導電樹脂により構成された上記シール部材を介して電気的に接続されていることを特徴とする、有機ＥＬ表示装置。
【請求項２】
上記第２駆動ＩＣは、上記第２位置ずれ部における上記基板側の面に実装されている、請求項１に記載の有機ＥＬ表示装置。
【請求項３】
特定の情報を視認させるための情報表示装置を備えた携帯型端末機であって、
上記情報表示装置として、請求項１または２に記載の有機ＥＬ表示装置を用いたことを特徴とする、携帯型端末機。
【発明の詳細な説明】
【０００１】
【発明の属する技術分野】
本願発明は、有機ＥＬ表示装置、およびこれを搭載した携帯型端末機に関する。
【０００２】
【従来の技術】
従来より、携帯型電話機やＰＤＡ（Personal Digital Assistant）などの携帯型端末機には、フラットパネルディスプレイが備えられている。図６は、従来の携帯型端末機の一例としての携帯型電話機を示す概略斜視図、図７は、従来のフラットパネルディスプレイの一例としての有機ＥＬ表示装置を示す概略斜視図である。図６に示す携帯型電話機１０１Ｂは、図７に示す有機ＥＬ表示装置（以下、単に「表示装置」という）１０１を備えたものであって、表示装置１０１における後述する有効表示領域が表示画面Ｓ101となるように構成されている。
【０００３】
図７に示すように、表示装置１０１は、基板１０２と、この基板１０２に対向するカバー１０３と、基板１０２上に配置された複数のアノード４１Ａおよびカソード４２Ａと、マトリクス状に配置された複数の表示要素４と、上記表示要素４を駆動するための第１駆動ＩＣ５Ａおよび第２駆動ＩＣ５Ｂとを備えており、アノード４１Ａとカソード４２Ａとの間には、発光層を有する有機物層（図示略）が設けられている。
【０００４】
基板１０２は、透明基板であって、アノード４１Ａおよびカソード４２Ａが配置される電極配置部１２１と、画像表示に直接的には関与しない部分であって、電極配置部１２１にそれぞれ隣接して設けられた第１非表示部１２２および第２非表示部１３２とを有している。第１非表示部１２２は、電極配置部１２１に対して、第１の方向（図７のＡＢ方向）に隣接しており、第２非表示部１３２は、電極配置部１２１に対して、第１の方向に直交する第２の方向（図７のＣＤ方向）に隣接している。カバー１０３は、表示要素４を保護するためのものであって、基板１０２の電極配置部１２１上にシール部材１０７を介して接合されている。このカバー１０３は、基板１０２の電極配置部１２１と同様の形状かつ同等の広さとされている。すなわち、この表示装置１０１は、基板１０２の第１および第２非表示部１２２，１３２がカバー１０３の端面から第１および第２の方向に突出した構造となっている。
【０００５】
アノード４１Ａおよびカソード４２Ａは、それぞれが帯状に形成されており、かつ、互いに直交しており、それらの交差領域がそれぞれ表示要素４とされている。第１および第２駆動ＩＣ５Ａ，５Ｂは、各アノード４１Ａおよび各カソード４２Ａに対して複数の第１および第２配線１０８Ａ，１０８Ｂを介して接続されている。第１および第２駆動ＩＣ５Ａ，５Ｂが作動して、選択された表示要素に対応するアノード４１Ａとカソード４２Ａとの間に所定の電圧が付与されると、発光層で発光が生じ、この光がアノード４１Ａないし基板１０２を透過して外部に出射される。このようにして選択された表示要素が発光することによって画像が表示される。ここで、画像が表示される有効表示領域は、表示要素４が配置される領域であって、電極配置部１２１において、シール部材１０７が配置される領域を除いた領域となる。すなわち、有効表示領域は、基板１０２において、シール部材１０７が配置される領域と、第１非表示部１２２および第２非表示部１３２とを除いた領域となる。
【０００６】
【発明が解決しようとする課題】
ところで、第１および第２駆動ＩＣ５Ａ，５Ｂは、図７に良く表われているように、第２非表示部１３２上に直接実装されるか、または、第１非表示部１２２上に接続されたフレキシブルフラットケーブル（ＦＰＣ９Ａ）上に実装されている。換言すれば、第１および第２非表示部１２２，１３２は、第２駆動ＩＣ５ＢやＦＰＣ９Ａ，９Ｂを接合させるため、あるいは、第１および第２配線１０８Ａ，１０８Ｂを形成するための部分として形成されたものであり、ある程度の広さを必要とする。したがって、第１および第２非表示部１２２，１３２におけるカバー１０３の端面からの突出寸法Ｌa，Ｌbは、比較的大となり、第１の方向および第２の方向における有効表示領域の占有割合が小となってしまう。
【０００７】
近年においては、携帯型電話機に対して、電話機本体１０１Ｂ′が小型で、表示画面Ｓ101が比較的広いものが所望されている。携帯型電話機においては、図６に示すように、特に、一方向（図６のＥＦ方向）の寸法が短いものが多いため、この方向において、表示画面Ｓ101が広くされるのが望ましい。しかしながら、上記表示装置１０１を備えた携帯型電話機１０１Ｂでは、上記表示装置１０１が、第１の方向およびこれと直交する第２の方向の双方において、有効表示領域の占有割合が小さいため、このような要望に対応することができないでいた。たとえば、携帯型電話機１０１Ｂでは、表示画面Ｓ101の周囲に、上記一方向における幅寸法ＬBが比較的大きな枠部１１０が形成されることとなり、表示画面Ｓ101が比較的狭くなってしまう。
【０００８】
【発明が解決しようとする課題】
本願発明は、上記した事情のもとで考え出されたものであって、平面視における一方向において有効表示領域の占有割合が大とされうる有機ＥＬ表示装置、およびこれを備えた携帯型端末機を提供することをその課題とする。
【０００９】
【発明の開示】
上記課題を解決するため、本願発明では、次の技術的手段を講じている。
【００１０】
すなわち、本願発明の第１の側面により提供される有機ＥＬ表示装置は、互いに略同一の平面視矩形形状をしており、かつ、それらの長手方向である第１の方向のみに互いに位置ずれするように重ね合わせられた基板およびカバーと、上記基板上に形成され、第１の方向に延びる複数の第１電極と、上記各第１電極と直交する第２の方向に延びる複数の第２電極と、上記第１および第２電極の交差領域に形成され、第１電極と第２電極との間に設けられた有機物質層が上記第１電極および第２電極を用いた電圧印加にもとづくエレクトロルミネセントにより発光する複数の表示要素と、上記複数の第１電極および上記複数の第２電極に対してそれぞれ複数の第１配線および複数の第２配線を介して接続された第１駆動ＩＣおよび第２駆動ＩＣと、を備えた有機ＥＬ表示装置であって、上記基板は、上記カバーと対向する部分である第１対向部および上記カバーに対して位置ずれしている第１位置ずれ部とからなるとともに、上記カバーは、上記基板と対向する部分である第２対向部および上記基板に対して位置ずれしている第２位置ずれ部とからなり、上記各第１配線は、上記第１位置ずれ部に実装された第１駆動ＩＣを介して上記表示要素に駆動電圧を付与するために上記第１位置ずれ部に設けられた第１入力端子部を有しているとともに、上記各第２配線は、上記第２位置ずれ部に実装された第２駆動ＩＣを介して上記表示要素に駆動電圧を付与するために上記第２位置ずれ部に設けられた第２入力端子部を有しており、上記各第２配線は、上記第２対向部における上記第１対向部を向く対向面に形成されかつＬ字状を呈した屈曲配線部を有しており、上記屈曲配線部は、その一端が上記第２電極と接続され、かつその他端が上記第２入力端子部と接続されており、上記第１対向部と上記第２対向部とは、それらの対向面どうしがシール部材を介して接合されており、かつ、上記屈曲配線部と上記第２電極とは、異方性導電樹脂により構成された上記シール部材を介して電気的に接続されていることを特徴としている。
【００１１】
【００１２】
【００１３】
【００１４】
【００１５】
【００１６】
【００１７】
本願発明の第２の側面により提供される携帯型端末機は、特定の情報を視認させるための情報表示装置を備えた携帯型端末機であって、上記情報表示装置として、本願発明の第１の側面に係る有機ＥＬ表示装置を用いたことを特徴としている。
【００１８】
本願発明でいう携帯型端末機としては、たとえば、携帯型電話機、ＰＤＡ、ノート型パーソナルコンピュータなどが挙げられる。
【００１９】
本願発明のその他の特徴および利点については、以下に行う発明の実施の形態の説明から、より明らかになるであろう。
【００２０】
【発明の実施の形態】
以下、本願発明の好ましい実施の形態について、図面を参照して具体的に説明する。
【００２１】
図１は、本願発明に係る携帯型端末機の一例としての携帯型電話機を示す概略斜視図、図２は、本願発明に係る有機ＥＬ表示装置の一例を示す概略斜視図である。また、図３は、図２の有機ＥＬ表示装置の内部構造を詳細に示す概略斜視図、図４は、図２のIV-IV線に沿う断面図である。なお、これらの図において、従来例を示す図６および図７に表された部材、部分等と同等のものにはそれぞれ同一の符号を付してある。
【００２２】
図１に示す携帯型電話機１Ｂは、特定の情報を視認させるための情報表示手段１Ａを有している。この携帯型電話機１Ｂは、情報表示手段１Ａとして、図２ないし図４に示す有機ＥＬ表示装置（以下、単に「表示装置」という）１を備えており、表示装置１における後述する有効表示領域が表示画面Ｓ1となるように構成されている。この携帯型電話機１Ｂには、表示画面Ｓ1を囲むようにして形成される枠部１０が設けられている。
【００２３】
図２に示すように、表示装置１は、互いに位置ずれするように重ね合わせられた基板（第１板状部材）２およびカバー（第２板状部材）３と、基板２上に配置された複数のアノード４１Ａおよび複数のカソード４２Ａと、マトリクス状に配置された複数の表示要素４と、これら複数の表示要素４を駆動するための第１駆動ＩＣ５Ａおよび第２駆動ＩＣ５Ｂと、第１および第２駆動ＩＣ５Ａ，５Ｂにそれぞれ導通するフレキシブルフラットケーブル（以下、「ＦＰＣ」という）９Ａ，９Ｂとを備えている。この表示装置１では、表示要素４が、一対の電極要素４１，４２（第１電極要素４１、第２電極要素４２）と、これら一対の電極要素４１，４２の間に設けられた有機物層６（図３参照）とを有しており、この有機物層６が、一対の電極要素４１，４２を用いた電圧印加に基づくエレクトロルミネセントにより発光するように構成されている。
【００２４】
また、この表示装置１は、本実施形態では、線順次方式によるパッシブ駆動により各表示要素４を駆動させる構成とされたものであって、アノード４１Ａとカソード４２Ａとが互いに交差しており、その交差領域がそれぞれ表示要素４とされている。なお、第１および第２電極要素４１，４２は、各アノード４１Ａおよび各カソード４２Ａにおける各表示要素４に対応する部分とされている。
【００２５】
上記基板２は、透明基板であり、たとえば透明なガラスや樹脂製フィルムにより形成されている。この基板２は、平面視矩形の平板状に形成されており、カバー３側の面が対向面２ａ、この対向面２ａとは反対側の面が非対向面２ｂとされている。また、この基板２は、カバー３に対向した部分である対向部（第１対向部）２１と、この第１対向部２１に対して位置ずれ方向、すなわち第１の方向（図２の矢印ＡＢ方向）に隣接する第１位置ずれ部２２とからなる。第１対向部２１は、アノード４１Ａおよびカソード４２Ａが配置される部分であり、その中央部分２１ａに表示要素４が配置される。この表示装置１では、各表示要素４が後述するようにして発光することによって画像が形成されるので、第１対向部２１の中央部分２１ａが有効表示領域となる。この中央部分２１ａは、平面視矩形状を呈しており、この中央部分２１ａの周囲に設定される周縁部２１ｂは、その幅寸法（中央部分２１ａの周縁から第１対向部２１の周縁までの距離）が比較的小となるように設けられている。一方、第１位置ずれ部２２は、カバー３の端面から突出する部分であり、本実施形態では、第１対向部２１の一つの辺に沿って帯状に形成されている。
【００２６】
上記カバー３は、表示要素４の劣化を防止するための保護カバーとして構成されたものであり、たとえばガラスやセラミックあるいは樹脂など、絶縁性を有する部材により形成されている。カバー３は、基板２の第１対向部２１と対向する部分である対向部（第２対向部）３１と、第２対向部３１に対して上記第１の方向（図２の矢印ＡＢ方向）に隣接する第２位置ずれ部３２とからなる。第２対向部３１は、基板２の第１対向部２１に対してシール部材７（詳細については後述）を介して接合されており、第１対向部２１と第２対向部３１との間は、密閉状態とされている。第２位置ずれ部３２は、本実施形態では、第２対向部３１の一つの辺に沿って帯状に形成されており、基板２の端面から突出している。また、このカバー３は、平面視矩形の平板状に形成されており、基板２側の面が対向面３ａ、この対向面３ａとは反対側の面が非対向面３ｂとされる。
【００２７】
上記アノード４１Ａは、透明な電極であり、たとえばＩＴＯ（Indium Tin Oxide）膜を蒸着した後にエッチング処理を施すなどして形成される。各アノード４１Ａは、第１対向部２１上において、上記第１の方向（図２および図３の矢印ＡＢ方向）に延びる帯状に形成されている。
【００２８】
上記各カソード４２Ａは、アノード４１Ａに直交して図２および図３の矢印ＣＤ方向（第２の方向）に延びる帯状に形成されている。このようなカソード４２Ａは、たとえばアルミニウム膜を蒸着した後にエッチング処理を施すなどして形成される。
【００２９】
上記有機物層６は、図３に示すように、複数のホール注入層６１、複数のホール輸送層６２、複数の発光層６０、複数の電子輸送層６３、複数の電子注入層６４からなり、各発光層６０内において、アノード４１Ａからのホールとカソード４２Ａからの電子とが再結合することによって、光を発するようになっている。なお、ホール注入層６１、ホール輸送層６２、電子輸送層６３、および、電子注入層６４は、発光効率を高める役割を有するものである。
【００３０】
上記ＦＰＣ９ＡおよびＦＰＣ９Ｂは、この表示装置１を作動させるために、第１駆動ＩＣ５Ａおよび第２駆動ＩＣ５Ｂのそれぞれに対して、電力および信号を表示装置１の外部から供給または送信するためのものであり、可撓性を有している。ＦＰＣ９ＡおよびＦＰＣ９Ｂは、たとえば、ポリイミドなどにより形成された一対の樹脂基板間に、銅箔などをエッチングすることにより形成した複数の導電線を設けることによって得られる。
【００３１】
上記第１および第２駆動ＩＣ５Ａ，５Ｂは、ＦＰＣ９Ａ，９Ｂを介して供給または送信されてくる電力および信号に基づいて、各第１および第２電極要素４１，４２に対する電圧印加を制御する。より詳細には、第１駆動ＩＣ５Ａは、アノード４１Ａと導通しており、これらに対して順次選択電圧を印加する。一方、第２駆動ＩＣ５Ｂは、各カソード４２Ａと導通しており、これらに対して表示画像に応じた信号電圧をクロックパルスに同期させて入力する。
【００３２】
なお、本実施形態では、この表示装置１を駆動させるため、各アノード４１Ａおよび各カソード４２Ａにそれぞれ１つの駆動ＩＣ（第１および第２駆動ＩＣ５Ａ，５Ｂ）が接続されているが、これに限ることはなく、それぞれ複数の駆動ＩＣを用いてもよい。
【００３３】
この表示装置１において、第１駆動ＩＣ５Ａは、図２に示すように、アノード４１Ａに対して複数の第１配線８Ａを介して接続されており、ＦＰＣ９Ａは、第１駆動ＩＣ５Ａに対して複数の第１接続配線８０Ａを介して接続されている。また、第２駆動ＩＣ５Ｂは、カソード４２Ａに対して複数の第２配線８Ｂを介して接続されており、ＦＰＣ９Ｂは、第２駆動ＩＣ５Ｂに対して複数の第２接続配線８０Ｂを介して接続されている。
【００３４】
図２に示すように、第１配線８Ａおよび第１接続配線８０Ａはそれぞれ、アノード４１ＡおよびＦＰＣ９Ａ内の導電線と同数のものが設けられている。各第１配線８Ａは、表示要素４に駆動電圧を付与するための第１入力端子部８Ａａを有しており、各第１接続配線８０Ａは、電力および信号を入力するための第１端子部８０Ａａを有している。
【００３５】
第１入力端子部８Ａａおよび第１端子部８０Ａａは、基板２の第１位置ずれ部２２における対向面２ａに設けられており、これにより、第１駆動ＩＣ５ＡおよびＦＰＣ９Ａは、第１位置ずれ部２２の対向面２ａに実装される。
【００３６】
ここで、アノード４１Ａは、上述したように、基板２の第１対向部２１における対向面２ａに形成されているので、アノード４１Ａと第１入力端子部８Ａａは、同一平面内に設けられていることになる。したがって、これらの間に介在する第１配線８Ａもまた、基板２における（第１位置ずれ部２２の）対向面２ａに形成される。より詳細には、各第１配線８Ａは、各アノード４１Ａの一端部から第１駆動ＩＣ５Ａが実装される領域に向かって延びるように形成されており、その先端に第１入力端子部８Ａａが設けられる。
【００３７】
なお、第１接続配線８０Ａは、基板２の第１位置ずれ部２２の対向面２ａ上において、ＦＰＣ９Ａが実装される領域から第１駆動ＩＣ５Ａが実装される領域に向かって延びるように形成されており、その先端に第１端子部８０Ａａが設けられる。
【００３８】
一方、第２配線８Ｂおよび第２接続配線８０Ｂはそれぞれ、カソード４２ＡおよびＦＰＣ９Ｂ内の導電線と同数のものが設けられている。各第２配線８Ｂは、表示要素４に駆動電圧を付与するための第２入力端子部８Ｂａを有しており、各第２接続配線８０Ｂは、第２駆動ＩＣ５Ｂに電力および信号を入力するための第２端子部８０Ｂａを有している。
【００３９】
第２入力端子部８Ｂａおよび第２端子部８０Ｂａは、カバー３の第２位置ずれ部３２に設けられており、第２駆動ＩＣ５ＢおよびＦＰＣ９Ｂは、第２位置ずれ部３２に実装されている。なお、これらは、本実施形態では、カバー３の対向面３ａに設けられている。
【００４０】
ところで、カソード４２Ａは、上述したように、基板２の第１対向部２１における対向面２ａに形成されているので、カソード４２Ａと第２入力端子部８Ｂａは、同一平面内に設けられていない。また、カソード４２Ａは、上記第２の方向に延びており、かつ第２入力端子部８Ｂａは、第２位置ずれ部３２、すなわちカバー３におけるカソード４２Ａと対応する領域（第２対向部３１）に対して上記第１の方向に隣接した領域に形成されているので、カソード４２Ａが延びる方向に第２入力端子部８Ｂａを配置することができない。そこで、このような位置関係にある各第２入力端子部８Ｂａと各カソード４２Ａとを接続するため、この表示装置１では、各第２配線８Ａが以下のような構成とされている。
【００４１】
すなわち、各第２配線８Ｂは、カバー３における第２対向部３１の対向面３ａに形成されかつＬ字状を呈した屈曲配線部８９と、第２位置ずれ部３２の対向面３ａに形成された接続部８３とを有している。
【００４２】
各屈曲配線部８９は、その一端８１がカソード４２Ａと接続され、かつその他端が接続部８３を介して第２入力端子部８Ｂａと接続されるように形成されている。具体的には、各屈曲配線部８９は、第２対向部３１における各カソード４２Ａの端部と対向する領域から第２の方向に延びた後、第２対向部３１の対角線の近傍で屈曲して第１の方向に延びるように帯状に形成されている。各屈曲配線部８９の一端８１は、図４に示すように、各カソード４２Ａの端部に対して、シール部材７を介して電気的に接続されている。また、各屈曲配線部８９は、第２対向部３１と第２位置ずれ部３２との間の境界線まで延びており、この境界線の近傍において、各アノード４１Ａに対して導通しないとされている。そのため、この表示装置１では、たとえば、上記境界線の近傍が、絶縁部材などによりコーティングされていたり、シール部材７として、上記境界線に対応する部分に後述する導電粒子７２を備えていないものを採用した構成とされている。
【００４３】
シール部材７は、上述したように、基板２の第１対向部２１とカバー３の第２対向部３１とを接合させるとともに、各屈曲配線部８９の一端部８１と各カソード４２Ａの一端部とを導通接続可能な構成とされている。このようなシール部材７は、たとえば、公知の異方性導電樹脂などにより構成されている。異方性導電樹脂は、図４に示すように、絶縁性を有する接着性樹脂成分７１内に導電粒子７２を分散混入させたものであり、たとえば、接着性樹脂成分７１としては、熱硬化性樹脂あるいはＵＶ硬化性樹脂などが用いられ、導電粒子７２としては、金などの金属ボールあるいはこのような金属が表面に被膜形成された樹脂ボールなどが用いられる。
【００４４】
このようなシール部材７を用いて第１対向部２１と第２対向部３１とを接合させるには、まず、シール部材７を基板２の周縁部２１ｂ上に塗布し、この上にカバー３を載置する。そして、シール部材７に対して加熱あるいはＵＶ照射することによって接着性樹脂成分７１を固化させ、これにより、第１対向部２１と第２対向部３１との間を接合させる。このとき、各屈曲配線部８９の一端部８１と各カソード４２Ａの端部とが対向する部分では、シール部材（異方性導電樹脂）７内の導電粒子７２が両者の間に挟み込まれるように介在することによって、各第２配線８Ｂと各カソード４２Ａとが導通される。一方、これ以外の部分では、各導電粒子７２が基板２およびカバー３に直接当接し、絶縁性が維持される。このように、シール部材７を異方性導電樹脂により構成すれば、基板２の周縁部２１ｂとカバー３の周縁部との間に物理的な加工を施したりしなくても、各第２配線８Ｂと各カソード４２Ａとの間の導通を容易に達成することができる。
【００４５】
接続部８３は、屈曲配線部８９と第２入力端子部８Ｂａとをつなぐための部分であって、図２に示すように、屈曲配線部８９の端部から駆動ＩＣ５Ｂが実装される領域に向かって延びるように形成されている。
【００４６】
なお、第２接続配線８０Ｂは、カバー３の第２位置ずれ部３２の対向面３ａ上において、ＦＰＣ９Ｂが実装される領域から第２駆動ＩＣ５Ｂが実装される領域に向かって延びるように形成されており、その先端に第２端子部８０Ｂａが設けられる。
【００４７】
上記した第１および第２配線８Ａ，８Ｂ、ならびに第１および第２接続配線８０Ａ，８０Ｂは、ＩＴＯ、あるいは、ＣｒやＭｏなどの金属薄膜などにより形成される。特に、Ｃｒは、腐食防止効果に優れているので、これらの配線部における表示装置１の外表面に露出する部分は、Ｃｒにより形成されていることが好ましい。
【００４８】
上記した第１および第２配線８Ａ，８Ｂ、ならびに第１および第２接続配線８０Ａ，８０Ｂに対して、第１および第２駆動ＩＣ５Ａ，５Ｂは、たとえば異方性導電樹脂により接合され、この異方性導電樹脂内に分散混入された導電粒子により第１および第２入力端子部８Ａａ，８Ｂａや、第１および第２端子部８０Ａａ，８０Ｂａに対して導通される。
【００４９】
以上に説明した表示装置１では、第１および第２駆動ＩＣ５Ａ，５Ｂにより、選択された表示要素４に対応するアノード４１Ａおよびカソード４２Ａ間に一定値以上の電圧が付与された場合には、アノード４１Ａからはホール注入層６１にホールが注入され、カソード４２Ａからは電子注入層６４に電子が注入される。ホールは、ホール輸送層６２を介して発光層６０に輸送され、電子は、電子輸送層６３を介して発光層６０に輸送される。発光層６０では、電子とホールとが再結合して励起子が生成し、この励起子が発光層６０を移動する。発光層６０では、励起子が発光物質における所定のバンド間を移動したときに放出するエネルギにより発光が生じる。このときの光は、ホール輸送層６２、ホール注入層６１、アノード４１Ａ、および基板２を透過して表示装置１の外部に出射される。このようにして、選択された表示要素が発光することにより画像が上記有効表示領域、すなわち基板２の第１対向部２１における中央部分２１ａの非対向面２ｂに表示される。
【００５０】
上記表示装置１では、第１および第２入力端子部８Ａａ，８Ｂａがそれぞれ、基板２およびカバー３の第１および第２位置ずれ部２２，３２に形成されており、これにより、第１および第２駆動ＩＣ５Ａ，５Ｂは、第１および第２位置ずれ部２２，３２に実装されている。また、第１および第２位置ずれ部２２，３２は、上記有効表示領域が形成される部分（第１および第２対向部２１，３１）に対して第１の方向に隣接している。すなわち、この表示装置１では、従来例のように、第１および第２駆動ＩＣ５Ａ，５Ｂを実装する部分が、有効表示領域が形成される部分に対して２方向に隣接して設けられていないため、平面視における一方向において、有効表示領域の占有割合を大とすることができる。
【００５１】
このような表示装置１が備えられた携帯型端末機１Ｂでは、表示装置１の平面視での一方向における有効表示領域の占有割合が大とされるので、図１に示すように、表示画面Ｓ1を囲むようにして設けられる枠部１０における一方向（図１のＥＦ方向）の幅寸法ＬBが比較的小とされる。したがって、端末機本体１Ｂ′が小型化されたものであっても、表示画面Ｓ1を比較的広くすることができる。
【００５２】
もちろん、本願発明は、上述した実施形態に限定されるものではなく、特許請求の範囲に記載した事項の範囲内でのあらゆる設計変更はすべて本願発明の範囲に含まれる。
【００５３】
たとえば、上記実施の形態においては、情報表示手段１Ａを備えた携帯型端末機は、携帯型電話機１Ｂとされているが、たとえばＰＤＡなど、他の携帯型端末機であってもよい。
【００５４】
【００５５】
図５は、本願発明に係る有機ＥＬ表示装置の参考例を示す。この表示装置１’は、基板として、上記第１位置ずれ部２２に対応する第１隣接部２２′および上記第２位置ずれ部３２に対応する第２隣接部３２′が、アノード４１Ａおよびカソード４２Ｂが配置される電極配置部２１′（上記第１対向部２１に該当する部分）を挟むようにして構成された基板２′を用い、かつ第１駆動ＩＣ５Ａおよび第２駆動ＩＣ５Ｂをそれぞれ、第１隣接部２２′の上面２ａ′および第２隣接部３２′の下面２ｂ′に実装している。この場合、各第２配線８Ｂは、基板２′の下面２ｂ′に形成され、屈曲配線部８９は、ＩＴＯなど透明性を有する部材により形成される。また、基板２′には、各屈曲配線部８９と各カソード４２Ａとを接続するための導通部が、基板２′の端面に形成された端面配線部８８、あるいは基板２′の表裏面間にわたるスルーホール（図示略）などとして設けられる。このように構成された表示装置１′において、表示要素４や第２配線８Ｂの劣化を防止するための部材としての樹脂コーティング層（図示略）を、基板２′の上下面２ａ′，２ｂ′に設けることによって、カバー３およびシール部材７を省くことが可能となる。
【００５６】
【００５７】
【００５８】
【図面の簡単な説明】
【図１】  本願発明に係る携帯型端末機の一例としての携帯型電話機を示す概略斜視図である。
【図２】  本願発明に係る有機ＥＬ表示装置の一例を示す概略斜視図である。
【図３】  図２の有機ＥＬ表示装置の内部構造を詳細に示す概略斜視図である。
【図４】  図２のIV-IV線に沿う断面図である。
【図５】  本願発明に係る有機ＥＬ表示装置の参考例を示す概略斜視図である。
【図６】  従来の携帯型端末機の一例としての携帯型電話機を示す概略斜視図である。
【図７】  従来のフラットパネルディスプレイの一例としての有機ＥＬ表示装置を示す概略斜視図である。
【符号の説明】
１          フラットパネルディスプレイ
１Ａ        情報表示手段
１Ｂ        携帯型端末機
２          基板（第１板状部材）
３          カバー（第２板状部材）
４          表示要素
５Ａ        第１駆動ＩＣ
５Ｂ        第２駆動ＩＣ
６          有機物層
７          シール部材
８Ａ        第１配線
８Ａａ      第１入力端子部
８Ｂ        第２配線
８Ｂａ      第２入力端子部
２１        第１対向部
２２        第１位置ずれ部
２２′      第１隣接部
３１        第２対向部
３２        第２位置ずれ部
３２′      第２隣接部
４１Ａ      アノード（第１電極）
４２Ａ      カソード（第２電極）
８９        屈曲配線部
【図１】
0004156861.tif 000002
【図２】
0004156861.tif 000003
【図３】
0004156861.tif 000004
【図４】
0004156861.tif 000005
【図５】
0004156861.tif 000006
【図６】
0004156861.tif 000007
【図７】
0004156861.tif 000008